(57)【要約】 【課題】  金網フェンスに張設しても、通風性及び採光性を阻害しにくい目隠しフェンス構造を提供する。【解決手段】  この目隠しフェンス構造は、フェンスとこのフェンスに張設されたシートよりなる。このシートは二重編地よりなる。二重編地は、経編表地と経編裏地と両経編地を繋ぐ連結糸とよりなる。経編表地は、ウエール方向に編成された隣り合う編目列１ａ，１ｂ，１ｃ，１ｄ・・・間に目４が形成されてなる。経編裏地は、目４に対応する位置に編目列２ａ，２ｂ，２ｃ，２ｄ・・・が存在する。連結糸は、経編表地の編目列１ａ，１ｂ，１ｃ，１ｄ・・・と、経編裏地の編目列２ａ，２ｂ，２ｃ，２ｄ・・・とを繋ぎ、これにより、目４の中に存在する連結糸３及び経編裏地の編目列２ａ，２ｂ，２ｃ，２ｄ・・・によって目４から透視しにくくなっている。【選択図】  図１
2019196610.tif 000002
【特許請求の範囲】
【請求項１】
フェンスと該フェンスに張設されたシートよりなる目隠しフェンス構造において、
前記シートは、ウェール方向に編成された隣り合う編目列間に目が形成された経編表地と、該目に対応する位置に編目列が存在する裏地と、該経編表地の編目列と該裏地の編目列とを繋ぐ連結糸とよりなる二重編地であって、該目の中に存在する該連結糸及び該裏地の該編目列によって該目から透視しにくくなっていることを特徴とする目隠しフェンス構造。
【請求項２】
裏地が、ウェール方向に編成された隣り合う編目列間に目が形成された経編裏地である請求項１記載の目隠しフェンス構造。
【請求項３】
裏地の編目列が、ウェール方向に走行する鎖編糸である請求項１記載の目隠しフェンス構造。
【請求項４】
連結糸がマルチフィラメント糸である請求項１乃至３のいずれか一項に記載の目隠しフェンス構造。
【請求項５】
フェンスが金網である請求項１乃至４のいずれか一項に記載の目隠しフェンス。
【請求項６】
請求項１記載の目隠しフェンス構造に用いる二重編地であって、該二重編地は、ウェール方向に編成された隣り合う編目列間に目が形成された経編表地と、該目に対応する位置に編目列が存在する裏地と、該経編表地の編目列と該経編裏地の編目列とを繋ぐ連結糸とで構成されている二重編地。
【請求項７】
裏地が、ウェール方向に編成された隣り合う編目列間に目が形成された経編裏地である請求項６記載の二重編地。
【請求項８】
裏地の編目列が、ウェール方向に走行する鎖編糸の列である請求項６記載の二重編地。
【発明の詳細な説明】
【技術分野】
【０００１】
本発明は、金網、繊維網又は縦桟等よりなるフェンスに、簡易に目隠しを施すことができる目隠しフェンス構造に関するものである。
【背景技術】
【０００２】
フェンスには種々の機能があり、機能を重視して設置されるのが一般的である。たとえば、敷地の境界を定めるためのフェンスには、目の粗い金網や繊維網よりなる網フェンスや、広い間隔の縦桟よりなる縦桟フェンスが用いられている。一方、敷地内又は建物内のプライバシー保護を図るためには、目の細かい格子よりなる目隠しフェンスが用いられている（特許文献１）。
【０００３】
しかるに、単に敷地の境界を定めるために金網フェンスを設置していた場合において、敷地内で秘密事項を実施することがある。たとえば、敷地内で大型の車両や重機等の研究開発を行う場合、金網フェンスでは外部から車両や重機等の状態を視認することが可能となり、開発状況を知られる危険が生じる。かかる場合、金網フェンスを撤去して目隠しフェンスを設置しなければならない。しかしながら、かかる手段は費用が高価になるという欠点がある。また、金網フェンスにビニールシートを張設して目隠しを施すことも知られている（特許文献２）が、ビニールシートを金網に張設すると、通風性がなくなり、強風下ではフェンスが倒れるという危険があった。さらに、ビニールシートでは採光性もなくなり、敷地内が暗くなるという欠点もあった。
【０００４】
【特許文献１】特開２００８−２２３４１４号公報
【特許文献２】特開２０１２−２４９５６６号公報
【発明の開示】
【発明が解決しようとする課題】
【０００５】
本発明の課題は、金網フェンスに張設しても、通風性及び採光性を阻害しにくい目隠しフェンス構造を提供することにある。
【課題を解決するための手段】
【０００６】
本発明は、張設するシートとして特定の構造よりなる布帛を金網フェンス等のフェンスに張設することにより、上記課題を解決したものである。すなわち、本発明は、フェンスと該フェンスに張設されたシートよりなる目隠しフェンス構造において、前記シートは、ウェール方向に編成された隣り合う編目列間に目が形成された経編表地と、該目に対応する位置に編目列が存在する裏地と、該経編表地の編目列と該裏地の編目列とを繋ぐ連結糸とよりなる二重編地であって、該目の中に存在する該連結糸及び該裏地の該編目列によって該目から透視しにくくなっていることを特徴とする目隠しフェンス構造に関するものである。
【０００７】
本発明に係る目隠しフェンス構造に用いるフェンスとしては、従来公知のものを採用しうるが、一般的には、敷地内を透視しうる程度に、目の粗い金網よりなる金網フェンスや、広い間隔の縦桟よりなる縦桟フェンス等が用いられる。本発明は、このフェンスに張設するシートに特徴を有するものである。
【０００８】
本発明に用いるシートは、二重編地よりなる。二重編地は、一般的にダブルラッセル編機で編成されてなるもので、経編表地と裏地と連結糸とで構成されてなる。本図面において、黒色になっているものが経編表地であり、白色になっているものが裏地であり、線で表されているのが連結糸である。経編表地は、ウェール方向に編成された編目列１ａ，１ｂ，１ｃ，１ｄ・・・よりなり、隣り合う編目列間１ａ及び１ｂ、１ｂ及び１ｃ、１ｃ及び１ｄ・・・は、適宜の間隔で結節され、結節部１ａｂ，１ｂｃ，１ｃｄ・・・が形成されると共に目４が形成されている。裏地は、この目４に対応する位置に、編目列が存在する。
【０００９】
裏地としては、図１に示すように、経編表地と同種の経編地であってもよい。すなわち、ウェール方向に編成された編目列２ａ，２ｂ，２ｃ，２ｄ・・・よりなり、隣り合う編目列間２ａ及び２ｂ、２ｂ及び２ｃ、２ｃ及び２ｄ・・・は、適宜の間隔で結節され、結節部２ａｂ，２ｂｃ，２ｃｄ・・・が形成されると共に目が形成されている経編裏地であってもよい。裏地は、経編表地の目４に対応する位置に、編目列２ａ，２ｂ，２ｃ，２ｄ・・・が存在する。連結糸３は、経編表地を構成している編目列１ａ，１ｂ，１ｃ，１ｄ・・・中の各編目に絡められると共に、経編表地の目に対応する位置に存在する裏地の編目列２ａ，２ｂ，２ｃ，２ｄ・・・中の各編目に絡められている。図１の左上の一部のみに、連結糸３が存在する状態を模式的に示した。すなわち、経編表地の編目列１ａの編目に絡められた連結糸３は、裏地の編目列２ｂの編目に絡められる。編目列２ｂの編目に絡められた連結糸３は、経編表地の編目列１ｃに絡められ、これがウェール方向に進行して順次繰り返されることにより、経編表地に形成されている各目は、連結糸３によって遮蔽された状態となる。なお、図２は、図１のＡ−Ａ線端面図であり、経編表地の結節部と裏地の結節部における連結糸３の存在状態を示したものである。結節部では隣り合う編目列が合体しているので、連結糸３は比較的規則正しいジグザク状となっている。
【００１０】
また、裏地としては、図３に示すように、経編表地とは別種の鎖編糸の列であってもよい。すなわち、編目列は鎖編糸であってもよく、ウェール方向に走行する鎖編糸２’ａ，２’ｂ，２’ｃ，２’ｄ・・・の列であってもよい。この鎖編糸２’ａ，２’ｂ，２’ｃ，２’ｄ・・・の列は、経編表地の目に対応する位置に存在する。連結糸３は、経編表地を構成している編目列１ａ，１ｂ，１ｃ，１ｄ・・・中の各編目に絡められると共に、経編表地の目に対応する位置に存在する裏地の編目列２’ａ，２’ｂ，２’ｃ，２’ｄ・・・中の各編目に絡められている。図３の左上の一部のみに、連結糸３が存在する状態を模式的に示した。すなわち、経編表地の編目列１ａの編目に絡められた連結糸３は、裏地の編目列２’ｂの編目に絡められる。編目列２’ｂの編目に絡められた連結糸３は、経編表地の編目列１ｃに絡められ、これがウェール方向に進行して順次繰り返されることにより、経編表地に形成されている各目は、連結糸３によって遮蔽された状態となる。なお、図４は、図２のＢ−Ｂ線端面図であり、経編表地の結節部と裏地の鎖編糸間における連結糸３の存在状態を示したものである。鎖編糸２’ａに絡められた連結糸３は、編目列１ｂを含む結節部ｂｃに絡められ、次いで鎖編糸２’ｃに絡められ、他の箇所でも同様に連結糸３が編目列と鎖編糸に絡められている。
【００１１】
経編表地及び裏地を形成するための糸としては、従来公知のモノフィラメント糸、マルチフィラメント糸又は紡績糸等が用いられる。糸の色は、白色、黒色又は赤色等の任意の色を採用しうるが、目隠し効果の高い黒色であるのが好ましい。具体的には、カーボンブラックを含有させた原着マルチフィラメント糸が好ましい。連結糸としても、従来公知のモノフィラメント糸、マルチフィラメント糸又は紡績糸等が用いられるが、マルチフィラメント糸を用いるのが好ましい。マルチフィラメント糸は複数本のフィラメントが集束されてなるものであり、これを連結糸として用いると、各フィラメントがばらけて目隠し効果が向上するからである。また、使用する糸の素材も任意であるが、ポリエチレンテレフタレートよりなる糸を用いるのが好ましい。ポリエチレンテレフタレートは耐候性に優れているため、屋外に設置される目隠しフェンス構造の素材として最適である。
【００１２】
以上の構成を持つ二重編地は、金網フェンスや縦桟フェンスに沿うようにして張設される。張設するには、フェンスの支柱等に二重編地を緊縛すればよい。二重編地が金網フェンス等に沿いやすくするため、二重編地に剛直性を付与してもよい。このためには、経編表地又は裏地を構成する糸としては、芯成分が高融点重合体で鞘成分が低融点重合体よりなる芯鞘型複合フィラメントよりなるマルチフィラメント糸を用い、鞘成分のみを加熱溶融させてフィラメント間を接着させればよい。なお、二重編地をフェンスに張設せずに単独で用い、プライバシー保護や秘密情報漏洩防止等のための目隠しシートとしてもよい。
【発明の効果】
【００１３】
本発明に係る目隠しフェンス構造は、フェンスに特定の二重編地を張設した構造となっている。そして、二重編地は、目が連結糸によって遮蔽されているので、敷地内に透視しにくくなり、目隠し効果を発揮しうる。また、連結糸間には隙間があるので、通風性も良好で、強風下においてもフェンスが倒れにくいという効果も奏すると共に、ある程度の採光性もある。さらに、本発明に係る目隠しフェンス構造は、設置されている金網フェンス等に単に張設するだけであるので、安価に目隠しを実現しうるという効果も奏する。
【実施例】
【００１４】
実施例１
経編表地を編成する糸として、ポリエチレンテレフタレートよりなる２８０デシテックス／２４フィラメントの黒色マルチフィラメント糸１を準備した。裏地として経編裏地を用い、経編裏地を編成する糸として、上記の黒色マルチフィラメント糸１と、芯成分がポリエチレンテレフタレートで鞘成分が低融点ポリエステル共重合よりなる芯鞘型複合フィラメントよりなる２８０デシテックス／２４フィラメントの黒色マルチフィラメント糸２を準備した。また、連結糸としては、ポリエチレンテレフタレートよりなる５６デシテックス／２４フィラメントの白色マルチフィラメント糸を準備した。
【００１５】
ダブルラッセル編機の以下の筬に、上記各糸を通した。
Ｌ２：黒色マルチフィラメント糸１
Ｌ３：黒色マルチフィラメント糸１
Ｌ４：白色マルチフィラメント糸
Ｌ５：黒色マルチフィラメント糸１
Ｌ６：黒色マルチフィラメント糸２
そして、以下の筬のパターンリピートにより、二重編地を編成した。
Ｌ２：３−４−４−４／３−２−２−２／３−４−４−４／３−２−２−２／０−            １−１−１／２−１−１−１／０−１−１−１／２−１−１−１／／
Ｌ３：０−１−１−１／２−１−１−１／０−１−１−１／２−１−１−１／３−            ４−４−４／３−２−２−２／３−４−４−４／３−２−２−２／／
Ｌ４：０−１−２−３／４−３−２−１／／
Ｌ５：２−２−０−１／１−１−２−１／１−１−０−１／１−１−２−１／１−            １−３−４／４−４−３−２／２−２−３−４／４−４−３−２／／
Ｌ６：１−１−３−４／４−４−３−２／２−２−３−４／４−４−３−２／２−            ２−０−１／１−１−２−１／１−１−０−１／１−１−２−１／／
【００１６】
得られた二重編地に、無押圧下で加熱して、黒色マルチフィラメント糸２の鞘成分のみを溶融させて、各糸間を接着し、二重編地に剛直性を付与した。この二重編地を金網フェンスに張設したところ、良好な目隠し効果を得ることができた。
【図面の簡単な説明】
【００１７】
【図１】本発明に用いる二重編地の一例を示す模式的平面図である。
【図２】図１に示した二重編地のＡ−Ａ線端面図である。
【図３】本発明に用いる二重編地の他の例を示す模式的平面図である。
【図４】図３に示した二重編地のＢ−Ｂ線端面図である。
【符号の説明】
【００１８】
１ａ，１ｂ，１ｃ，１ｄ・・・    経編表地を構成している編目列
１ａｂ，１ｃｄ，１ｅｆ    経編表地の結節部
２ａ，２ｂ，２ｃ，２ｄ・・・    経編裏地を構成している編目列
２ｂｃ，２ｄｅ，２ｆｇ    経編裏地の結節部
２’ａ，２’ｂ，２’ｃ，２’ｄ・・・    裏地を構成している編目列（鎖編糸）
３    連結糸
４    目
【図１】
2019196610.tif 000003
【図２】
2019196610.tif 000004
【図３】
2019196610.tif 000005
【図４】
2019196610.tif 000006